(57)【要約】【課題】  ハンガー本体下方の掛杆にズボン等を安定かつ確実に掛け吊ることができる衣類用ハンガーを得る。【解決手段】  ハンガー本体２と、ハンガー本体２の左右端部から下方に延設された左右の支持部材３，３と、支持部材３，３間に渡設され、ハンガー本体２の下側において略水平に延びる掛杆４と、左右の支持部材３，３に上下スライド可能に係合し、支持部材３，３から前後に突出する係合部材５，…と、左右の係合部材５，５間に渡設され、掛杆４の前側又は後側において、掛杆４よりも上側に位置する解除位置と掛杆４よりも下側に位置する作用位置とに渡ってスライド可能な前後のスライド部材６，６とを備え、掛杆４にズボンを掛け吊った状態で前後のスライド部材６，６を前記作用位置まで下降させることにより、該スライド部材６，６がズボンの前後面に当接する。【選択図】        図１
2007075273.tif 000002
【特許請求の範囲】
【請求項１】
左右方向の略中央上方に吊鉤が設けられたハンガー本体と、
該ハンガー本体の左右端部から下方に延設された左右の支持部材と、
該支持部材間に渡設され、前記ハンガー本体の下側において略水平に延びる掛杆と、
前記左右の支持部材に上下スライド可能に係合し、該支持部材から前後に突出する係合部材と、
左右の係合部材間に渡設され、前記掛杆の前側又は後側において、前記掛杆よりも上側に位置する解除位置と前記掛杆よりも下側に位置する作用位置とに渡ってスライド可能な前後のスライド部材とを備え、
前記掛杆にズボンを掛け吊った状態で前記前後のスライド部材を前記作用位置まで下降させることにより、該スライド部材が前記ズボンの前後面に当接することを特徴とする衣類用ハンガー。
【請求項２】
前記前後のスライド部材を前記解除位置で保持するストッパーを備えてなる請求項１記載の衣類用ハンガー。
【請求項３】
前記前後のスライド部材が前記掛杆と略平行な直線状の丸棒である請求項１又は２記載の衣類用ハンガー。
【請求項４】
前記前後のスライド部材の左端同士及び右端同士を連結する連結部材を設けてなる請求項１〜３のいずれかに記載の衣類用ハンガー。
【請求項５】
前記左右の支持部材の前後に、深さ方向が前後方向であり略上下方向に延びる溝部を設け、該溝部の深さが下方に行くにしたがって深くなるように該溝部の底面を傾斜面とし、該溝部に前記係合部材を係合させて上下スライド可能としてなり、前記前後のスライド部材の間隔を下方に行くにしたがって狭めてなる請求項１記載の衣類用ハンガー。
【発明の詳細な説明】
【技術分野】
【０００１】
本発明は、ハンガー本体の下方にズボンの掛杆を備えた衣類用ハンガーの改良に関するものである。
【背景技術】
【０００２】
従来の衣類用ハンガーとして、ハンガー本体下方の掛杆の端部円周方向に突設された係合用突部と、掛杆支承体に昇降移動自在に取り付けられた移動部材に設けられ、前記係合用突部に係合して掛杆の回転を規制する係合部とからなるロック手段を、掛杆の少なくとも一端部に設けてなり、掛杆にズボンを掛ける際及び掛杆からズボンを取り外す際には、ロック手段による掛杆の回転規制状態を解除して掛杆を回転自由な状態にし、ズボンを掛杆に掛け終えた後は、ロック手段を作動させて掛杆の回転を規制し、掛吊り状態を保持するものがある（例えば、特許文献１参照。）。
【０００３】
【特許文献１】実公平８−８６９５号公報（図１−４）
【発明の開示】
【発明が解決しようとする課題】
【０００４】
以上のような従来の衣類用ハンガーは、前記ロック手段を操作することにより、生地の種類に拘らずズボンを掛杆に掛け止めることができるとともに、ズボンを取り外す際には抵抗なく取り外すことができるものであるが、掛杆の外周面に摩擦係数が大きい滑り止め材を被覆して、該摩擦力によりズボンの掛吊り状態を保持する構成であるため、掛け方によってはズボンのずり落ちが生じやすく、ズボンを安定して掛け吊ることができない場合がある。また、掛杆の外周面に摩擦係数が大きい滑り止め材を被覆する必要があるため、該滑り止め材との擦れによりズボンの生地が傷む場合がある。さらに、前記ロック手段を構成するコイルスプリングの弾性反発力により下方へ付勢された前記係合部と、前記係合用突部との間に二つ折り部状態のズボンの左右端部が挟まれ、該ズボンが押圧されて跡が付く場合があること等の問題点もある。さらにまた、ロック手段の構成が複雑であるためコストが増大するという問題点もある。
【０００５】
本発明は、前記のような問題点を解決するためになされたものであり、ハンガー本体下方の掛杆にズボンを安定かつ確実に保持した状態で掛け吊ることができる衣類用ハンガーを得ることを目的とする。
【課題を解決するための手段】
【０００６】
本発明に係る衣類用ハンガーは、前記課題解決のために、左右方向の略中央上方に吊鉤が設けられたハンガー本体と、該ハンガー本体の左右端部から下方に延設された左右の支持部材と、該支持部材間に渡設され、前記ハンガー本体の下側において略水平に延びる掛杆と、前記左右の支持部材に上下スライド可能に係合し、該支持部材から前後に突出する係合部材と、左右の係合部材間に渡設され、前記掛杆の前側又は後側において、前記掛杆よりも上側に位置する解除位置と前記掛杆よりも下側に位置する作用位置とに渡ってスライド可能な前後のスライド部材とを備え、前記掛杆にズボンを掛け吊った状態で前記前後のスライド部材を前記作用位置まで下降させることにより、該スライド部材が前記ズボンの前後面に当接するものである。
【０００７】
ここで、前記前後のスライド部材を前記解除位置で保持するストッパーを備えてなると好ましい。
【０００８】
また、前記前後のスライド部材が前記掛杆と略平行な直線状の丸棒であると好ましい。
【０００９】
さらに、前記前後のスライド部材の左端同士及び右端同士を連結する連結部材を設けてなると好ましい。
【００１０】
さらにまた、前記左右の支持部材の前後に、深さ方向が前後方向であり略上下方向に延びる溝部を設け、該溝部の深さが下方に行くにしたがって深くなるように該溝部の底面を傾斜面とし、該溝部に前記係合部材を係合させて上下スライド可能としてなり、前記前後のスライド部材の間隔を下方に行くにしたがって狭めてなると好ましい。
【発明の効果】
【００１１】
本発明に係る衣類用ハンガーは、左右方向の略中央上方に吊鉤が設けられたハンガー本体と、該ハンガー本体の左右端部から下方に延設された左右の支持部材と、該支持部材間に渡設され、前記ハンガー本体の下側において略水平に延びる掛杆と、前記左右の支持部材に上下スライド可能に係合し、該支持部材から前後に突出する係合部材と、左右の係合部材間に渡設され、前記掛杆の前側又は後側において、前記掛杆よりも上側に位置する解除位置と前記掛杆よりも下側に位置する作用位置とに渡ってスライド可能な前後のスライド部材とを備え、前記掛杆にズボンを掛け吊った状態で前記前後のスライド部材を前記作用位置まで下降させることにより、該スライド部材が前記ズボンの前後面に当接するので、該ズボンのずり落ちを抑制することができ、ハンガー本体下方の掛杆にズボンを安定かつ確実に保持した状態で掛け吊ることができる。また、前記作用位置まで下降した前後のスライド部材がズボンの前後面に、その左右方向の全体の幅にわたり当接してずり落ちを防止するものであり、ズボンを押圧して挟持するものではないため、生地を傷めることがない。さらに、このようなズボンのずり落ち抑制効果を付与しながら、部品点数が少なく簡素な構成であるため、コストの増大を抑制することができる。
【００１２】
また、前記前後のスライド部材を前記解除位置で保持するストッパーを備えてなると、該ストッパーにより前記スライド部材を前記解除位置で保持することにより、ズボンを前記掛杆に容易に掛け吊ることができる。
【００１３】
さらに、前記前後のスライド部材が前記掛杆と略平行な直線状の丸棒であると、角部がない形状であるため、該スライド部材を前記解除位置から前記作用位置までスライドさせてズボンに当接させるときに、該スボンを傷つけることがない。また、製作しやすい形状であるため、コストを低減することができる。
【００１４】
さらにまた、前記前後のスライド部材の左端同士及び右端同士を連結する連結部材を設けてなると、前記前後のスライド部材の操作性を向上することができる。
【００１５】
また、前記左右の支持部材の前後に、深さ方向が前後方向であり略上下方向に延びる溝部を設け、該溝部の深さが下方に行くにしたがって深くなるように該溝部の底面を傾斜面とし、該溝部に前記係合部材を係合させて上下スライド可能としてなり、前記前後のスライド部材の間隔を下方に行くにしたがって狭めてなると、前記ズボンのずり落ち抑制効果をさらに高めることができる。
【発明を実施するための最良の形態】
【００１６】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、ハンガー本体に掛けた衣類の前後左右を前後左右とする。
【００１７】
実施の形態１．
図１〜図３は本発明の実施の形態１に係る衣類用ハンガーの構成を示す説明図であり、図１（ａ）は正面図、図１（ｂ）は斜視図、図２は掛杆にズボンを掛け吊った状態を示す正面図、図３（ａ）は図１の矢視Ａ−Ａ断面図、図３（ｂ）はズボンを掛け吊った状態における掛杆まわりの側断面図である。
【００１８】
図１〜図３において、衣類用ハンガー１は、左右方向の略中央上方に吊鉤２ａが設けられ、上着等の衣類を掛けることができるハンガー本体２、ハンガー本体２の左右端部から下方に延設された左右の支持部材３，３、支持部材３，３間に渡設され、ハンガー本体２の下側において略水平に延び、ズボンＴ等の衣類を掛け吊ることができる掛杆４、左右の支持部材３，３に上下スライド可能に係合する係合部材５，５、左右の係合部材５，５間に渡設され、掛杆４の前側又は後側において、掛杆４よりも上側に位置する解除位置（図１（ａ）の二点鎖線の位置）と掛杆４よりも下側に位置する作用位置（図１（ａ）の実線の位置）とに渡ってスライド可能な前後のスライド部材６，６等により構成される。なお、図１及び図２に示すように、左右の支持部材３，３は、下方に垂直に延設してもよいし、下方に行くにしたがって左右の支持部材３，３の間隔が広がるように、又は、該間隔が狭まるように傾斜させてもよい。
【００１９】
図１及び図３に示すように、前後のスライド部材６，６の左端同士及び右端同士は、連結部材９，９により連結されており、一体的に上下にスライドするため、スライド部材６，６の操作性を向上することができる。また、スライド部材６，６が、掛杆４よりも上側に位置する前記解除位置と掛杆４よりも下側に位置する前記作用位置との間をスライドするため、左右の支持部材３，３は掛杆４よりも下側の位置まで延出している。なお、衣類用ハンガー１の各構成部品は、例えばポリプロピレン、ポリアセタール、ナイロン又はＡＢＳ等の合成樹脂により成形される。
【００２０】
図３（ａ）に示すように、支持部材３には、その前後に深さ方向が前後方向であり略上下に延びる溝部７，７が形成されており、該溝部７，７に係合部材５，５が係合するため、係合部材５，５は支持部材３，３により上下スライド可能に支持される。そして、係合部材５，５は前後方向にそれぞれ突出しており、左右の係合部材５，５間には掛杆４と略平行にスライド部材６が渡設される。なお、左右の係合部材５，５とスライド部材６とは一体であっても別体であってもよい。また、前後のスライド部材６，６は、例えば製作の容易性等の観点から直線状の丸棒とされるが、直線状ではなく曲線状でもよいし、丸棒ではなく角棒であってもよい。あるいは、前後のスライド部材６，６を板状のものとしてもよい。
【００２１】
略上下に延びる溝部７，７の底面７ｃ，７ｃには、その上部に凸部７ａ，７ａが下部に凸部７ｂ，７ｂが形成されており、該凸部には支持部材５，５の前記底面７ｃ，７ｃに沿う面に形成された凹部５ａ，５ａが係合する。したがって、スライド部材６は、凸部７ａ又は７ｂと凹部５ａとが係合した上下位置、すなわち前記解除位置及び作用位置で保持される。なお、溝部７，７の底面７ｃ、７ｃの下部に凸部７ｂ，７ｂを形成せずに、上部に凸部７ａ，７ａを形成するのみであってもよい。支持部材３の溝部７上部に形成された凸部７ａと支持部材５に形成された凹部５ａとが、スライド部材６を前記解除位置で保持するストッパー８を構成する。
【００２２】
したがって、該ストッパー８，…によりスライド部材６，６を掛杆４よりも上側の前記解除位置で保持した状態では、ズボンＴを掛杆４に容易に掛け吊ることができる。そして、掛杆４にズボンＴを掛け吊った状態でストッパー８，…によるスライド部材６，６の保持を解除してスライド部材６，６を下降させ、前後のスライド部材６，６を前記作用位置まで下降させることにより、図３（ｂ）に示すようにスライド部材６，６がズボンＴの前後から当接するため、ズボンＴのずり落ちを抑制することができる。したがって、ハンガー本体２下方の掛杆４にズボンＴを安定かつ確実に保持した状態で掛け吊ることができる。
【００２３】
このように、前後のスライド部材６，６を前記解除位置から前記作用位置まで下降させて、ズボンＴの前後面をその左右方向の全体の幅にわたり当接してずり落ちを防止するものであり（図２参照。）、ズボンＴを例えば洗濯ばさみ等のようなもので押圧して挟持するものではないため、生地を傷めることがない。さらに、このようなズボンＴのずり落ち抑制効果を付与しながら、部品点数が少なく簡素な構成であるため、コストの増大を抑制することができる。また、特に前後のスライド部材６，６が丸棒であると、角部がない形状であるため、該スライド部材を前記解除位置から前記作用位置までスライドさせてズボンに当接させるときに、該スボンを傷つけることがない。また、製作しやすい形状であるため、コストを低減することができる。
【００２４】
実施の形態２．
図４は本発明の実施の形態２に係る衣類用ハンガーの構成を示す説明図であり、図４（ａ）は正面図、図４（ｂ）は図４（ａ）の矢視Ｂ−Ｂ断面図、図４（ｃ）は図４（ａ）の矢視Ｃ−Ｃ断面図である。なお、図１〜図３と同一符号は同一又は相当部分を示している。
【００２５】
実施の形態２に係る衣類用ハンガー１は、実施の形態１に係る衣類用ハンガー１と形態が異なるものであるが、機能的には実施の形態１に係る衣類用ハンガー１において連結部材９，９のみがないものである。したがって、前後のスライド部材６，６が一体的に上下にスライドするものではないため、スライド部材６，６の操作性は実施の形態１に係る衣類用ハンガー１の構成よりも劣るが、ズボンＴのずり落ち抑制効果等は実施の形態１と同様である。
【００２６】
実施の形態３．
図５は本発明の実施の形態３に係る衣類用ハンガーの構成を示す説明図であり、図５（ａ）は正面図、図５（ｂ）は図５（ａ）の矢視Ｄ−Ｄ断面図である。なお、図１〜図３と同一符号は同一又は相当部分を示している。
【００２７】
図５において、支持部材３，３から前後に突出する係合部材５，…に垂下部５ｂ，…が設けられ、左右の係合部材５，５の垂下部５ｂ，５ｂの下端に掛杆４と略平行にスライド部材６が渡設されるため、左右の支持部材３，３を掛杆４よりも下側の位置まで延出させる長さを短くすることができる。
【００２８】
実施の形態３に係る衣類用ハンガー１は、実施の形態１に係る衣類用ハンガー１と形態が異なるものであるが、機能的には実施の形態１に係る衣類用ハンガー１と同様であるため、実施の形態１と同様の作用効果を奏する。
【００２９】
実施の形態４．
図６及び図７は本発明の実施の形態４に係る衣類用ハンガーの構成を示す説明図であり、図６（ａ）は正面図、図６（ｂ）は図６（ａ）の矢視Ｅ−Ｅ断面図、図７は掛杆にズボンを掛け吊った状態を示す正面図である。なお、図５と同一符号は同一又は相当部分を示している。
【００３０】
図６及び図７において、支持部材３，３の上部には鉤状部３ａ，３ａが設けられており、該鉤状部３ａ，３ａが、ハンガー本体２の左右下部に形成された吊下孔２ｂ，２ｂに係合する。したがって、支持部材３，３はハンガー本体２の左右端部から下方に、ハンガー本体２と別体に延設される。このような構成以外は、実施の形態４の構成と同様であり、実施の形態４と同様の作用効果を奏する。
【００３１】
実施の形態５．
図８は本発明の実施の形態５に係る衣類用ハンガーの構成を示す説明図であり、図８（ａ）は正面図、図８（ｂ）は図８（ａ）の矢視Ｆ−Ｆ断面図である。なお、図４と同一符号は同一又は相当部分を示している。
【００３２】
図８（ｂ）に示すように、支持部材３に形成された略上下に延びる溝部７，７は、該溝部の前後方向の深さが下方に行くにしたがって深くなるように底面７ｃ，７ｃが傾斜面となっている。したがって、該溝部７，７に係合する前後の係合部材５，５の間隔が、該係合部材が下方に行くにしたがって狭くなるため（図８（ｂ）のＧ，Ｈ参照。）。前後のスライド部材６，６の間隔も下方に行くにしたがって狭くなる。よって、実施の形態１〜４の衣類用ハンガー１の構成よりも、ズボンＴのずり落ち抑制効果をさらに高めることができる。
【００３３】
以上の説明においては、前後の係合部材５，５を別体とし、該係合部材５，５を支持部材３の前後各々に形成された溝部７，７に係合させて、該係合部材５，５を上下スライド可能とする構成を示したが、支持部材３から前後方向に突出する係合部材を一体とし、該係合部材を支持部材３の略上下に延びる長孔に係合させて、該係合部材を上下スライド可能とする構成としてもよい。このように構成すれば、連結部材９，９を設けなくても、スライド部材６，６を一体的に上下にスライドさせることができるため、スライド部材６，６の操作性を向上することができる。
【図面の簡単な説明】
【００３４】
【図１】本発明の実施の形態１に係る衣類用ハンガーの構成を示す説明図であり、（ａ）は正面図、（ｂ）は斜視図である。
【図２】同じく、掛杆にズボンを掛け吊った状態を示す正面図である。
【図３】同じく、（ａ）は図１の矢視Ａ−Ａ断面図、（ｂ）はズボンを掛け吊った状態における掛杆まわりの側断面図である。
【図４】本発明の実施の形態２に係る衣類用ハンガーの構成を示す説明図であり、（ａ）は正面図、（ｂ）は（ａ）の矢視Ｂ−Ｂ断面図、（ｃ）は（ａ）の矢視Ｃ−Ｃ断面図である。
【図５】本発明の実施の形態３に係る衣類用ハンガーの構成を示す説明図であり、（ａ）は正面図、（ｂ）は（ａ）の矢視Ｄ−Ｄ断面図である。
【図６】本発明の実施の形態４に係る衣類用ハンガーの構成を示す説明図であり、（ａ）は正面図、（ｂ）は（ａ）の矢視Ｅ−Ｅ断面図である。
【図７】同じく、掛杆にズボンを掛け吊った状態を示す正面図である。
【図８】本発明の実施の形態５に係る衣類用ハンガーの構成を示す説明図であり、（ａ）は正面図、（ｂ）は（ａ）の矢視Ｆ−Ｆ断面図である。
【符号の説明】
【００３５】
１  衣類用ハンガー
２  ハンガー本体
２ａ  吊鉤
２ｂ  吊下孔
３  支持部材
３ａ  鉤状部
４  掛杆
５  係合部材
５ａ  凹部
５ｂ  垂下部
６  スライド部材
７  溝部
７ａ，７ｂ  凸部
７ｃ  底面
８  ストッパー
９  連結部材
Ｔ  ズボン
【図１】
2007075273.tif 000003
【図２】
2007075273.tif 000004
【図３】
2007075273.tif 000005
【図４】
2007075273.tif 000006
【図５】
2007075273.tif 000007
【図６】
2007075273.tif 000008
【図７】
2007075273.tif 000009
【図８】
2007075273.tif 000010